(57)【特許請求の範囲】
【請求項１】
ベースプレート（１）と、ベースプレート上に回動可能に取り付けられたプレート（２）とを有し、
ベースプレート（１）とプレート（２）との間に、プレートを心合わせし、プレートの回転を案内し、しかもプレートを支持する手段が挿置され、
また、二つの伸縮自在な直立部（4a、4b）によってプレートに連結される円弧形の手摺（５）と、プレートの外側にあって、プレートの直径と平行な車軸の両端部に回転自在に取り付けられ、プレートにアクセスする領域の反対側に配置された二つの車輪（３）を有し、
プラットホームが車輪方向に傾けられたときにのみこれら車輪（３）が地面と接するように配置された形式の身体障害者の移動用の可動式回動円形プラットホームにおいて、
ベースプレート（１）がプレート（２）と略同じ直径の円形金属ディスクから成り、一方、金属シートから成るプレート（２）が、ベースプレート（１）に向かって真下に突出する円形の保護縁部（1b）に固定され、他方、二つの直立部の下側部材（4a）が成人の膝の高さに配置された水平交叉部材（10）によって連結され、交叉部材（10）が交叉部材（10）とプレート（２）の前部との間に延在する傾斜バー（11）によって補強されることを特徴とするプラットホーム。
【請求項２】
弧形の手摺（５）の各端部は、半円形状で下向きに半円に曲がった屈曲部（5a）が、直立部の上側部材（4b）に各端部が取り付けられる場所を越えて突出していることを特徴とする請求の範囲１に記載のプラットホーム。
【請求項３】
円形プレート（２）は、角形の半径方向突起部（16）が前方に突出し、その前方横縁部にこの縁部と平行に金属ロッド（８）が溶接され、金属ロッド（８）の突出端部は、その周りで車輪（３）が回転できる車軸を構成していることを特徴とする請求の範囲１に記載のプラットホーム。
【請求項４】
補強バー（11）の下側端部がプレートの突起部（16）に溶接されていることを特徴とする請求の範囲１または請求の範囲３に記載のプラットホーム。
【請求項５】
水平交叉部材（10）が、溶接によって直立部の下側部材（4a）に連結されていることを特徴とする請求の範囲１に記載のプラットホーム。
【請求項６】
水平交叉部材（10）が、固定可能なカラーによって、支持部材の各直立部に連結され、補強バー（11）が、一方を他方に対して固定化する手段を備えた二つの伸縮自在な要素から構成され、これら各要素が関節によって交叉部材（10）とプレート（２）とに連結されていることを特徴とする請求の範囲１に記載のプラットホーム。
【請求項７】
交叉部材（10）が、弾性的に圧縮可能な材料製の少なくとも一つのスリーブ（23）で囲まれていることを特徴とする請求の範囲１に記載のプラットホーム。
【請求項８】
ベースプレート（１）に対するプレート（２）の回転を案内する手段が、プレート（２）の軸方向の穴を拘束されずに貫通する垂直ねじ（19）から成り、その皿頭（19a）が該プレートの皿穴（21）に嵌合され、その軸部（19a）がベースプレート（１）と一体部品であるナット（７）にねじ込まれることを特徴とする請求の範囲１に記載のプラットホーム。
【請求項９】
プレート支持手段が、プレート（２）とベースプレート（１）との間で、角間隔を置いて円形に配置したローラ（６）から成り、各ローラ（６）がベースプレート（１）に固定された支持部材（14）の水平車軸を中心として回転自在であるように取り付けられることを特徴とする請求の範囲１に記載のプラットホーム。
【発明の詳細な説明】
技術分野
本発明は、運動性身体障害者を、例えば、椅子から便座やベッドへ移動させたり、その逆に移動させるための可動式回動円形プラットホームに関するものである。
背景技術
肢体不自由者を椅子から便座またはベッドへ、またはその逆に移動する作業は一人以上の人が介助して行われるが、肢体不自由者の体重が重かったり下肢の動きが悪いことによる困難を伴うことがよく知られている。トイレのスペースは狭いのが常であるので、肢体不自由者を回転させて椅子から降ろす仕事は困難を極める。
先行技術及び特に米国特許明細書第2,963,713号、ドイツ国特許出願公開明細書第2,749,146号、米国特許明細書第5,507,044号、及びフランス国特許出願公開明細書第2,526,312号には、手摺付き支持部を支えるプレートが回動可能に取り付けられ、それにより、該プレート上に肢体不自由者を立たせた状態で180゜回動できるベースプレートを採用した装置が記載されている。また、最初の二つの刊行物において、該装置には一体の車輪が設けられ、例えば、トイレの便器に該装置を近づけたり、または収納するために運び出すために空荷であるときに、該装置を移動できるようにしている。
これら装置はいずれも、下肢の機能不全のために課せられる制約、即ち、
−足を引き摺って移動する肢体不自由者がよりアクセスしやすい、厚みの少ないプレート−ベースプレート組立体、
−身体障害者または介助者が引っ掛かるような個所の無い、アクセスしやすい握り手段、
−肢体不自由者が自分の位置に付く際に引っ掛からないようにするために、障害物によって足の動きを妨げないようにした空間、
−肢体不自由者を各位置で支えている時及び回転させる時の安定性、
−簡単で楽な取扱い、
を満たしていない。
発明の開示
本発明の目的は、身体障害者がごく短時間の間、自分で直立姿勢を取ることができ、その間に回動させてその人の後側が便座またはベッドの方に向くようにさせることができ、その後にその人が自分の下肢をひねったり苦労したりせずに座ることができる非常にしっかりした握りを備えた、肢体不自由者が比較的立ち上がりやすい、極めて低いプラットホームの形態の単純な装置を提供することにある。
従って、本発明は、ベースプレートと、ベースプレート上に枢動可能に取り付けられる円形プレートであって、円形プレートを心合わせし、円形プレートの回転を案内し、かつ円形プレートを支持する手段をそれらの間に介在させた円形プレートと、二つの伸縮自在な直立部によってプレートに連結した円弧形の手摺と、円形プレートの外側にあって、プレートの直径と平行な車軸の両端に回転自在に取り付けられる二つの車輪であって、該プレートにアクセスする領域の反対側に配置されるとともに、プラットホームが車輪方向に傾けられたときにのみ地面と接するように配置された二つの車輪とから構成されたプラットホームに関する。
本発明によれば、ベースプレートは、プレートと直径が略同じである円形金属ディスクから成り、一方、同様に金属シートから成るプレートは、ベースプレートに向かって真下に突出した円形の保護縁部に固定され、他方、二つの直立部の部材は水平交叉部材によって連結され、該交叉部材は成人の膝の高さに配置され、この交叉部材と該プレート前部との間に延在する傾斜管によってそれ自体補強されている。
このような配置構成により、プラットホームへのアクセスが容易となり、肢体不自由者は、必要があれば水平交叉部材にその向脛または膝を当てることにより、手摺を握って自分の腕で引き寄せて自分を立ち上がらせることができるが、これによって使用者の安定性を妨害する傾斜は生じない。
有利には、弧形の手摺の各端部は、半円形に下向きに曲げた屈曲部が、直立部への取付個所を越えて突出している。
このように各屈曲部は、肢体不自由者が自分自身で立ち上がるという側面において肢体不自由者にとってより掴みやすい握りとなり、自分の衣類または介助者の衣類に引っ掛かる可能性のある突端を有していないという利点を備える。
本発明のその他の特徴及び利点は、例として、本発明によるプラットホームの一実施例を示す添付図面を参照しての以下の説明から明らかになろう。
【図面の簡単な説明】
図１は、本発明によるプラットホームの一実施例の斜視図である。
図２は、このプラットホームの下側部分の長手方向部分断面図である。
図３は、上から見たプラットホームの平面図である。
図４、図５及び図６は、車椅子に座っている肢体不自由者を便座に移動するのにプラットホームを使用する場合のいくつかの段階、即ち、プラットホーム上に足を乗せる段階と、肢体不自由者が立ち上がる段階と、便座に腰掛ける前の回転する段階とを示す斜視図である。
発明を実施するための最良の形態
このプラットホームは、金属ディスクから成る、地面に置くためのベースプレート１と、やはり金属シートから成るプレート２とを備える。プレート２は二つの金属管状直立部４を支持しており、直立部４はプレート２の中央交差面の両側、すなわち、ベースプレートに対する回転の垂直軸x'−ｘの両側に一つずつ、溶接されている。これら直立部は手摺５を支持している。
図２に更に詳細に示すように、ベースプレート１はその下側に、合成物質またはゴム製の多数のパッチ12を下側に備えており、これらのパッチ12は騒音や地面の上でのスリップを抑えるためにベースプレート１に接着されている。ベースプレートに溶接されたフランジ付きナット７の雌ねじ切り部と同軸の穴13は、ベースプレート１を軸方向に貫通している。ベースプレート１の上面には、支持部材と、例えば、ローラすなわちキャスター６を支えるクレビスブロック14も溶接されている。
図３に示すように、これらローラが、プレート２の垂直回転軸x'−ｘを中心として、ほぼ一定の角間隔を置いて円形に配置されている。
上から見たとき、このプレート２の全体形状は円形で、半径方向矩形突起部16の形で前方に突出している。この突起部または少なくともその縁部は、その前縁部と平行な、突起部に溶接されるロッド８を持ち上げるために、図２に示すように上方向に屈曲されている。突起部16を越えて突出するロッド８の両端部は車軸を構成し、車軸を中心として２つの車輪３が回転できる。
これらの車輪は、プラットホーム組立体全体が車輪の方に傾けられた時にのみ地面と接するように、地面よりも少し高い位置に位置している。
プレート２の円形部の直径は、ベースプレート１のものと略同じであるが、更に具体的に述べると、円形縁部1bを構成するシートの厚さ分だけベースプレート１の直径を上回っている。この縁部はプレートに溶接され、ベースプレート１までほぼ垂直に、即ち、その厚さの中央に向かって下向きに突出している。その機能は、ローラ６にいずれの異物も入らないようにすることであり、また、身体障害者がプレートに乗ろうとしたときにプレート２とベースプレート１の間に足が挟まらないようにすることによって足を保護することでもある。
ローラ６から成る、プレート２を支える手段以外に、プレートには、皿頭19aとねじ山付き端部19bとを有する垂直ねじ19から成る、プレートの回転を案内するための手段が設けられる。このねじは、皿頭19aを収容できる皿穴21を有する、プレート２に形成された軸方向の穴20に回転自在に嵌合される。そのねじ山部19bは、ベースプレート１に担持されるフランジ付きナット７にねじ込まれる。
この配置構成により、プレートの回転を案内しかつプレートを支持する手段は非常に小型であると同時に、プレート２には卓越した安定性をもつことが認められる。
前述の実施例において、各管状直立部４は伸縮自在であり、すなわち、プレート２の連結した下側部材4aと、下側部材4aに対して摺動可能に取り付けた上側部材4bとから構成されている。各下側部材4aは、その上端部付近に、半径方向ねじ、レバーとカム、横ピンまたは固定装置など、この下側部材における上側部材4bの平行移動を防止できる手段22を備えている。
この調整手段は、
−身体障害者の大きさに合わせて手摺５の高さを調整できる、
−プラットホームの梱包時の高さも低くすることもできる、
という二つの点で有益である。
手摺５は、プレート２の上にまったく張出すことなく、プラットホームの前部の周りに延在する円弧を形成する。その弧形の各端部は、半円形に下向きに曲がった屈曲部の5aが、直立部4dへの取付個所を越えて突出しており、その端部は、溶接によって上側部材4bに固定されている。これら屈曲部5aは握りを形成し、その有用性については後で詳述する。
最終的に、また、本発明の別の特徴により、直立部の各下側部材4aは、その上端部付近に配置された水平交叉部材10によって直立部部材に連結される。身体障害者が自分の膝を交叉部材に当てることによってずっと簡単に自ら立ち上がれるように、この交叉部材とプレート２との間の距離は平均サイズの成人の膝の高さに略等しい。
一実施例において、この交叉部材は、部材4aの各々に溶接される。交叉部材は、交叉部材とプレート２との間に傾斜して延在している補強バー11によって補強される。本実施例において、プラットホームの長手方向中央平面に配置される当該交叉部材は、その各端部が、交叉部材10とプレート２とにそれぞれ溶接されている。
別の実施例において、交叉部材10の両端部には、対応する下側部材4aに対する固定化手段を備えた締付カラーが設けられている。この形態では、補強バー11は、固定化手段の平行移動に関わる二つの伸縮自在な要素から構成され、その各端部は関節によってそれぞれ交叉部材10とプレート２とに連結されている。この配置構成により、ユーザーの大きさ即ちプレート２に対するユーザーの膝の位置に合わせて交叉部材10の垂直位置を調整できる。
有利には、交叉部材10は、膝に当たる部分としてその快適性を向上する合成発泡体などの弾性的に圧縮可能な材料製の少なくとも一つのスリーブ23によって囲まれている。
このようなプラットホームが図４に示すように便座に近い場所にセットしてあると、身体障害者はプラットホーム２に自分の足を乗せられる位置まで車椅子のまま接近し、次いで、そこから、図５に示すように、手摺の屈曲部5aで形成される握りの把持部を掴み、交叉部材10に膝を当てることによって出来る限り自分の力で垂直に立たせる。この段階で、プレート２及び身体障害者を図６に示す位置に180゜回動するのに第三者の補助が不可欠である。この位置で、身体障害者自分で必要な衣類を脱いで便座に腰掛けることができる。その後、助けを借りずに自分で立ち上がることができる。
このとりわけ単純で安価なプラットホームが、身体障害者の立ったり座ったりという動作を楽にすると同時に、身体障害者がこれらの動作を行う間の完璧な安定性と、これらの動作をより行いやすくする手段とを提供することは明白である。
【図１】
0003579429.tif 000002
【図２】
0003579429.tif 000003
【図３】
0003579429.tif 000004
【図４】
0003579429.tif 000005
【図５】
0003579429.tif 000006
【図６】
0003579429.tif 000007